(57)【要約】  【課題】  従来のタクシー配車用ＡＶＭシステムは、空車車両の動態管理を行っているため、無線配車に直接無関係な流し車両の実車の位置管理や走行ルートの追跡管理については行うことができず、タクシー車両全体としての車両配置に関する管理は行われていなかった。  【解決手段】  ＡＶＭシステムにおける配車方法は、基地局と複数の移動局と、上記基地局に複数の上記移動局の情報をポーリングにより収集する方式のＡＶＭシステムにおいて、上記複数の移動局は、それぞれ少なくとも所定の時間毎の空車実車の情報および位置情報を含む動態情報を上記基地局に送信し、上記基地局は、記憶部を有する中央処理装置を有し、上記基地局に送られた上記移動局の上記所定時間毎の動態情報を上記記憶部に記録すると共に、上記中央処理装置は、上記複数の移動局の上記所定時間毎の動態情報を解析し、上記解析結果に基づいて上記移動局に配車情報を送信するように構成される。【選択図】  図１
2005269142.tif 000002
【特許請求の範囲】
【請求項１】
基地局と複数の移動局と、上記基地局に複数の上記移動局の情報をポーリングにより収集する方式のＡＶＭシステムにおいて、上記複数の移動局は、それぞれ少なくとも所定の時間毎の空車実車の情報および位置情報を含む動態情報を上記基地局に送信し、上記基地局は、記憶部を有する中央処理装置を有し、上記基地局に送られた上記移動局の上記所定時間毎の動態情報を上記記憶部に記録すると共に、上記中央処理装置は、上記複数の移動局の上記所定時間毎の動態情報を解析し、上記解析結果に基づいて上記移動局に配車情報を送信することを特徴とするＡＶＭシステムにおける配車方法。
【請求項２】
請求項１記載のＡＶＭシステムにおける配車方法において、上記動態情報は、少なくとも上記移動局の所定時間内の所定時間毎の位置情報と、上記位置情報に対応した実車空車の情報であり、上記動態情報を解析は、上記所定時間毎の位置情報と、上記位置情報に対応した実車空車の情報の解析であり、上記解析結果に基づいて上記移動局に配車情報を送信することを特徴とするＡＶＭシステムにおける配車方法。
【請求項３】
請求項２記載のＡＶＭシステムにおける配車方法において、上記動態情報は、更に、上記移動局の実車時間および空車時間を含み、上記中央処理装置は、上記実車時間および空車時間から実車率を算出し、上記算出結果に基づいて上記移動局に配車情報を送信することを特徴とするＡＶＭシステムにおける配車方法。
【発明の詳細な説明】
【技術分野】
【０００１】
本発明は、ＡＶＭ（Automatic Vehicle Monitoring）システムにおける配車方法に関し、特に、移動局の動態情報の解析結果に基づくＡＶＭシステムにおける配車方法に関するものである。
【背景技術】
【０００２】
無線通信技術の発展とともに電波を利用した測位技術は大幅に発展し、今日では人工衛星を利用したＧＰＳ（Global Positioning System）測位システムにより、全世界においてＧＰＳ受信機単体で誤差１０ｍ程度の精度で位置情報を得ることができるようになった。このＧＰＳ測位システムは、主にカーナビゲーションや船舶、航空機の航法あるいは測量などに利用されている。また、近年の移動通信システムの発展により、手軽に広域エリアを対象とした移動体データ通信を行うことが可能となっている。このようなＧＰＳ測位システムと移動通信システムとが融合して、移動体の位置管理システムや文字伝送システムが実用化され、公衆用無線や業務用無線を通じて宅配車両やタクシーなどの配車効率向上などの目的に利用されている。
【０００３】
図５は、ＧＰＳを利用したタクシー配車用ＡＶＭシステムのブロック図を示す。図５において、５０１−１、５０１−２、・・・５０１−Ｍは、基地局である。なお、基地局を総称する場合は、基地局５０１と称する。５０２は、管理センタであり、複数の基地局５０１と伝送路５０３で結ばれている。５０４−１、５０４−２、・・・５０４−Ｎは、移動局（タクシー）である。なお、移動局を総称する場合は、移動局５０４と称する。５０５は、基地局５０１−１が通信できる通信エリア、所謂、通信ゾーンであり、この通信エリア５０５内に位置する移動局５０４と基地局５０１−１とが通信できることを示している。５０６は、ＧＰＳ衛星を示し、各移動局５０４は、ＧＰＳ衛星５０６からの位置情報５０７を受けて、自車の位置情報（経度、緯度）を入手することができる。なお、管理センタ５０２からの指示で、各基地局５０１は、ポーリング信号ＰＯ１を各移動局５０４に送信し、各移動局は、このポーリング信号ＰＯ１に応答してポーリング応答信号ＳＲ１、ＳＲ２、・・・ＳＲｎを基地局に送信する。即ち、このシステムにおいては、管理センタ５０２は、各基地局５０１からの移動局車両番号指定により通信エリア５０５内の移動局５０４を車両番号の順番に車両動態情報を収集する方式である。なお、管理センタ５０２は、基地局５０１と一体に構成することもできる。
【０００４】
次に、上述したポーリング方法の具体例について図６を用いて説明する。図６は、従来のタクシー配車用ＡＶＭシステムの全移動局（タクシー）のポーリング方式を説明するための図である。図６（ａ）は、基地局５０１から送信されるポーリング信号ＰＯ１を示している。この場合、ポーリング信号ＰＯ１は、例えば、５フレーム（例えば、１フレーム＝４０msとする。）を使用するとすると、１ポーリング信号長は、２００msとなる。この場合のデータ収集速度を２，４００ｂｐｓとすると、３００台の移動局にこのポーリング信号を送信すると、休止期間（０．４秒）も含めると、ポーリング周期Ｔは、約６０．４秒となる。
【０００５】
このポーリング信号ＰＯ１に対して各移動局５０４−１、５０４−２、・・・５０４−Ｎ（図６では、Ｎ＝３００台である。）からのポーリング応答信号は、図６（ｂ）に示すように、各移動局からポーリング応答信号ＳＲ１、ＳＲ２、・・・ＳＲ３００が所定のタイミングで基地局５０１に送信される。従って、この従来のポーリング方式では、ポーリング周期Ｔ１は、６０．４秒の繰返しとなり、全車両位置の認識のためには、約１分かかる。即ち、１分に１回の車両検索となる。
【０００６】
図７（ａ）は、ポーリング信号ＰＯ１の内容、また、図７（ｂ）は、ポーリング応答信号ＳＲを示す。図７（ａ）において、データ長（ポーリング信号長）は、２００msであり、信号種別７０１は、例えば、ポーリング信号であることを示す情報である。ポーリング車番指定７０２は、例えば、それぞれの移動局５０４−１、５０４−２、・・・５０４−３００を指定して、各移動局の動態情報を収集するための情報である。７０３は、予備のビットである。また、図７（ｂ）も、やはりデータ長（ポーリング応答信号長）は、２００msであり、信号種別７０４は、ポーリング応答信号であることを示す情報である。動態情報７０５は、移動局の空車／実車情報、車速情報、車両の異常情報等の車両動態情報である。位置情報７０６は、移動局５０４がＧＰＳ衛星５０６から入手する自車の現在地で、例えば、緯度、経度の情報である。
【０００７】
而して、上述の従来のタクシー配車用ＡＶＭシステム等のＡＶＭシステムでは、移動局の現在位置をＧＰＳ衛星により移動局自身が検出して記憶している。そして、基地局からの定期的なポーリング信号に基づいて各移動局は、基地局との間で各移動局の動態位置情報を移動局番号毎に割り当てられた専用の送信スロット（ポーリング応答信号）で返送する。基地局では、全移動局について順にポーリングを行い、全ての移動局の動態位置情報を把握する。なお、基地局は、少なくとも１つあって管理センタに接続されており、管理センタでは、顧客からの配車要求に従い、移動局の動態位置情報から配車に最適な移動局、例えば、顧客に最も近い移動局の検索を行ってタクシー車両の配車を行う。配車を指定された移動局は、顧客の所まで移動し、顧客を乗せるが、この時、顧客は、指定場所を乗務員へ告げ、乗務員は、移動局を運転し、行き先へ向かうのが普通である。
【０００８】
このようなタクシー配車用ＡＶＭシステムでは、顧客が管理センタへ自分の現在位置を伝え、移動局の配車を要望する。管理センタは、無線操作により移動局を検索し、顧客の現在位置まで移動局を配車する運用を行う。管理センタでは、顧客の現在位置の情報に従い、最適な車両の検索にＧＰＳシステムやポーリングによるデータ伝送の技術を使用し、配車情報を文字等で伝送することで配車の運用の効率化を図るのみであった。また、従来のこの種のシステムは、空車に対する配車を主たる目的とするため、配車する車両についての実車管理や待機車両についての実車管理は行うが、所謂、流しの車両についての実車に関する管理、あるいは、どの待機場所での実車実績があるとか、どの時間帯の実車実績が高いか等の乗務員および移動局の稼動状況等をタクシー配車用ＡＶＭシステムに所属する全ての移動局に対して把握し、効率の良いタクシー配車用ＡＶＭシステムを構築するまでには至っていないのが実情である。
【０００９】
また、従来のタクシー配車用ＡＶＭシステムでは、ポーリング周期が約６０秒に１回であるため、１チャネルあたり移動局が数百台の大規模なタクシー配車用ＡＶＭシステムでは、空車車両の位置管理を重点とするしか方法がなく、無線配車に直接無関係な流し車両の実車の位置管理や移動局個々の走行ルートの追跡等の管理までは行うことができなかった。従ってタクシー車両の需要と配置に関し有効な解析ができず、無線配車に無関係な車両は、効率的な配置ができないという問題があった。
【００１０】
【特許文献１】特に発見されていない。
【発明の開示】
【発明が解決しようとする課題】
【００１１】
以上説明したように従来のタクシー配車用ＡＶＭシステムは、空車車両の位置管理を重点として動態情報管理を行っているため、無線配車に直接無関係な流し車両の実車の位置管理や走行ルートの追跡管理については行うことができず、タクシー車両全体としての車両配置に関する管理は行われていない。従って、タクシー車両の需要と配置に関し有効な解析ができず、効率的な配置ができない問題があった。
【００１２】
本発明の目的は、ＡＶＭシステムにおける全ての移動局の動態情報を把握し、最適な配車が可能なＡＶＭシステムにおける配車方法を提供することである。
【００１３】
本発明の他の目的は、流しの車両や個々の移動局の実車実績あるいは走行ルートの追跡管理に基づきタクシー車両の需要に応じた車両の配置を分析し、最適な配車が可能なＡＶＭシステムにおける配車方法を提供することである。
【課題を解決するための手段】
【００１４】
本発明のＡＶＭシステムにおける配車方法は、基地局と複数の移動局と、上記基地局に複数の上記移動局の情報をポーリングにより収集する方式のＡＶＭシステムにおいて、上記複数の移動局は、それぞれ少なくとも所定の時間毎の空車実車の情報および位置情報を含む動態情報を上記基地局に送信し、上記基地局は、記憶部を有する中央処理装置を有し、上記基地局に送られた上記移動局の上記所定時間毎の動態情報を上記記憶部に記録すると共に、上記中央処理装置は、上記複数の移動局の上記所定時間毎の動態情報を解析し、上記解析結果に基づいて上記移動局に配車情報を送信するように構成される。
【００１５】
また、本発明のＡＶＭシステムにおける配車方法において、上記動態情報は、少なくとも上記移動局の所定時間内の所定時間毎の位置情報と、上記位置情報に対応した実車空車の情報であり、上記動態情報を解析は、上記所定時間毎の位置情報と、上記位置情報に対応した実車空車の情報の解析であり、上記解析結果に基づいて上記移動局に配車情報を送信するように構成される。
【００１６】
また、本発明のＡＶＭシステムにおける配車方法において、上記動態情報は、更に、上記移動局の実車時間および空車時間を含み、上記中央処理装置は、上記実車時間および空車時間から実車率を算出し、上記算出結果に基づいて上記移動局に配車情報を送信するように構成される。
【００１７】
また、本発明のＡＶＭシステムにおける配車方法において、上記動態情報は、更に、乗務員の情報を含み、上記実車率の算出結果に基づいて上記乗務員に配車情報を送信する。
【００１８】
また、本発明のＡＶＭシステムにおける配車方法において、上記実車率の算出結果に基づいて配車の優先順位を定め、上記配車の優先順位に基づいて上記乗務員に配車情報を送信するように構成される。
【発明の効果】
【００１９】
以上説明したように、本発明によれば、ＡＶＭシステムにおける全ての移動局の動態情報が把握でき、また、全ての移動局の実車実績や走行ルートの追跡管理等から移動体局の需要に応じた車両の配置および最適な配車が可能となり、タクシー会社にとっては、極めて効率的なＡＶＭシステムにおける配車方法が実現できる。また、乗客にとってもタイミングの良い配車サービスが受けられるという特徴があり、極めて効果大である。
【発明を実施するための最良の形態】
【００２０】
本発明は、例えば、デジタルＳＣＰＣ（Single Channel Per Carrier）方式を採用することで、ポーリングによるデータ収集速度を高速化し、１チャネルあたり移動局が数百台の大規模タクシー会社向けシステムでも、空車実車の車両を含めた全ての車両の位置管理を行うことで、流しの実車実績管理や走行ルートの履歴を蓄積できる機能を具え、これらデータを解析することによりタクシー需要に応じた、また、配車効率の良いＡＶＭシステムを実現するものである。
【００２１】
以下に本発明の実施形態について図１および図２を用いて説明する。図２は、本発明の一実施例の概略構成を示すブロック図である。なお、本発明で使用する例えば、タクシー配車用ＡＶＭシステムの構成は、図５のシステムと同様であるので、詳細な説明は省略する。図２において、まず、基地局５０１を説明する。なお、図２は、管理センタが基地局と一体に構成されている場合を示している。２０１は、中央処理装置、２０２は、記憶部、２０３は、ポーリング信号生成部、２０４は、データ送信要求信号発生部、２０５は、無線機および２０６は、アンテナである。また、移動局５０４の構成を説明する。２０７は、アンテナ、２０８は、無線機、２０９は、ポーリング信号受信部、２１０は、データ送信要求信号受信部、２１１は、スロット設定部、２１２は、記憶部、２１３は、料金メータ、２１４は、データ生成部、２１５は、位置検出部、２１６は、ＧＰＳアンテナ、２１７は、操作表示部を示す。位置検出部２１５は、ＧＰＳアンテナ２１６からの位置情報に基づき移動局５０４の現在位置を検出する。
【００２２】
次に、この動作について説明する。まず、基地局５０１の送信用無線機は、例えば、移動局５０４からの各種情報を得るための動作を実行する。そのため中央処理装置２０１の記憶部２０２では、移動局番号を記憶し、中央処理装置２０１は、ポーリング信号生成部２０３で生成された先頭スロットに応答送信させる移動局番号の指定情報を含むポーリング信号と、データ送信要求信号発生部２０４で生成された移動局へのデータ送信要求信号とを無線機２０５からアンテナ２０６を経由して各移動局５０４へ送信する。
【００２３】
この基地局から送信された電波は、移動局５０４側のアンテナ２０７を介して無線機２０８で受信され、このうちポーリング信号は、ポーリング信号受信部２０９で受信され、スロットの先頭の車輌番号から各移動局の車輌番号が検出される。
【００２４】
一方、データ送信要求信号受信部２１０で基地局５０１からのデータ送信要求信号を検出する。ポーリング信号受信部２０９及びデータ送信要求受信部２１０で検出された信号は、スロット設定部２１１へ送られる。スロット設定部２１１は、自局のデータ送信スロットの送信スロット のタイミングを設定する。また、スロット設定部２１１は、データ送信要求信号受信部２１０からの信号を継続して監視しており、自局のデータ送信スロットに達した時点でデータ送信要求信号が検出されている場合、データ生成部２１４を起動して送信すべきデータを無線機２０８、アンテナ２０７を経由して基地局５０１に送信する。
【００２５】
なお、データ生成部２１４は、料金メータ２１３からの信号によって、例えば、空車／実車を検出してデータを生成する。また、スロット設定部２１１は、データ送信要求信号受信部２１０の検出信号がなくなるとリセットされる。位置検出部２１５は、例えば、ＧＰＳシステムにより自車の位置、例えば、経度および緯度を検出する。また、移動局５０４は、別途、地図データベース（図示せず。）を有しており、例えば、位置検出部２１５で検出された自車の位置、即ち、経度および緯度の情報から操作表示部２１７の表示画面上の地図上に自車の現在地を表示することができる。また、移動局の行き先を地図データベースから検索し、同様に地図上に表示することもできる。なお、このような表示は、カーナビ装置として既に良く知られているので、その構成および動作についての詳細な説明は省略する。操作表示部１１６は、移動局の動作や、必要なデータ入力あるいは基地局からの情報の表示、カーナビ表示等が行われる機能を有する。
【００２６】
次に、図２で示される本発明の一実施例で使用されるポーリング方式について図３および図４に基づいて説明する。図３に示すポーリング方式は、例えば、３００台の移動局で構成されるタクシー配車用ＡＶＭシステム等の無線通信システムにおいて、効率良く移動局の動態情報を収集する場合を示している。デジタルＳＣＰＣ方式の無線機では、データ伝送速度は、９，６００ｂｐｓとなることから図３（ａ）では、ポーリング信号長４０msで、３００台の移動局に対してポーリングを実施した場合、ポーリング周期Ｔ２は、休止期間（０．４秒）を含めて１２．４秒となる。３００台の移動局であるので、１２．４秒に１回の割合で、車両検索ができることになる。なお、図３（ａ）では、ポーリング信号ＰＯ１のみを示しているが、通常は、基地局と移動局との間での情報交換のための同期をとるため、基地局は、常に空線信号を発信している。なお、本実施例では、３００台の移動局をポーリング信号ＰＯ１でポーリングする方法を説明しているが、移動局をいくつかのグループに区分してグループごとにポーリングを行うこともできることは言うまでもない。更に、基地局からのポーリング信号と、移動局からのポーリング応答信号とをそれぞれ別のチャネルで伝送する２チャネル方式のものも実用化されてあり、この方式を用いることもできることは言うまでもない。
【００２７】
図４（ａ）は、ポーリング信号ＰＯ１の内容を示したものである。図７（ａ）と同様にポーリング信号ＰＯ１は、信号種別４０１、ポーリング車番指定４０２および予備４０３で構成され、データ長（ポーリング信号長）は、４０msで構成されている。
【００２８】
次に、このポーリング信号ＰＯ１に対して各移動局５０４−１、５０４−２、・・・５０４−Ｎからのポーリング応答信号は、図３（ｂ）に示すように、各移動局からポーリング応答信号ＳＲ１、ＳＲ２、・・・ＳＲ３００（ポーリング応答信号長４０ms）が所定のタイミングで基地局５０１に送信される。なお、ポーリング応答信号を総称する場合は、ポーリング応答信号ＳＲと称する。従って、この本発明のポーリング方式では、例えば、３００台の移動局に対するポーリング周期Ｔ２は、１２．４秒の繰返しとなり、全車両３００台の位置の認識のためには、１２．４秒に１回の車両検索が可能となる。従って、従来方式に比べて約１／５の時間で移動局の動態情報を入手することができる。
【００２９】
図４（ｂ）は、ポーリング応答信号ＳＲの内容を示したものである。ポーリング応答信号ＳＲは、信号種別４０４、動態情報４０５および位置情報４０６で構成され、データ長（ポーリング応答信号長）は、４０msで構成されている。なお、図４で示される各データの内容は、図７（ｂ）に示すデータの内容と同等である。
【００３０】
上述したようにポーリング信号長４０ms、ポーリング応答信号長４０msで動作させることについては、本発明者らの先の出願、特願２００４−８０６（出願日：平成１６年１月６日）に記載されている。即ち、この１フレーム４０msのフレームフォーマットは、工夫されたポーリング応答バーストが採用されており、基地局５０１の受信機は、このポーリング応答バーストを受信するだけでＡＧＣ（自動利得制御）とＡＦＣ（自動周波数制御）の制御を安定して行うことができる。従って、ポーリング信号長４０ms、ポーリング応答信号長４０msで受信誤り率特性の劣化を伴わずにシステムを安定に動作させることができる。なお、詳細な説明については省略する。
【００３１】
次に、図１を用いて更に、本発明の内容を説明する。図１は、基地局の概略構成を示すブロック図である。１０１は、地図データベース、１０２は、表示部、１０３は、操作部である。なお、図２と同じものには同じ符号が付されている。また、管理センタ５０２は、基地局５０１と一体に構成された場合を示しているが、分離して構成することもできる。
【００３２】
而して、本発明において使用する中央処理装置２０１は、タクシー配車用ＡＶＭシステムの全ての移動局５０４の動態情報を管理するようになされている。即ち、図３で説明したように例えば、３００台の移動局は、１２．４秒に１度ずつポーリング信号ＰＯ１を受信し、ポーリング信号ＰＯ１を受信した各移動局５０４は、それぞれポーリング応答信号ＳＲを所定のタイムスロットで基地局５０１に図４（ｂ）に示す動態情報４０５、位置情報４０６を送信する。この動態情報４０５には、移動局５０４の車両番号１、２、・・・Ｎ、乗務員番号（例えば、乗務員のＩＤ番号）、乗務員が移動局５０４に乗車して業務を開始した時刻、業務を終了した時刻、実車時刻、空車時刻、支払い等がポーリング応答信号ＳＲで基地局５０１に送信される。また、位置情報４０６は、時刻情報と共に移動している移動局の現在位置（Ｘ、Ｙ）が送信される。これらの情報は、基地局５０１の無線機２０５で受信され、中央処理装置２０１の記憶部２０２に記憶される。表１は、記憶部２０２に記憶された各移動局の動態情報の内容をテーブルＡとして表示したものである。また、表２は、移動局の例えば、１日毎の稼動状況の履歴を記録したもので、車両毎の現在位置と動態情報を逐次記憶部１０４に記憶した内容をテーブルＢとして表示したものである。
【００３３】
【表１】
2005269142.tif 000003
【００３４】
【表２】
2005269142.tif 000004
まず、表１について説明する。表１は、全移動局５０４の動態情報をテーブル化したもので、例えば、２００４年２月１５日の動態情報が示されている。このようなテーブルＡは、年、月、日毎に中央処理装置２０１の記憶部２０２に記憶されている。表１においては、車両番号、乗務員番号、業務開始時刻、業務終了時刻、実写時間、空車時間および実車率の各項目が設けられている。例えば、車両番号１の移動体は、乗務員Ａが乗車し、８時５０分に業務を開始、１７時５０分に業務を終了したことを示している。また、実車時間は、表２の情報から２００４年２月１５日の乗務員Ａの１日の勤務時間内で、乗客を乗せた時間の合計時間から算出される。従って、乗務員Ａは、実車時間は、５時間２０分であることを示している。同様に、客が乗車していない空車時間は、３時間４０分であることを示している。そして、各移動局５０４の実車時間、空車時間は、表２に示す各移動局５０４の時刻単位の動態情報から中央処理装置２０１で実車時間、空車時間を積算し、算出している。なお、表２のエリアＰ１、Ｐ２、・・・Ｐ４は、地図上のエリアを示している。また、実車率は、中央処理装置２０１で、例えば、実車時間／（実写時間＋空車時間）を算出することにより得られる。表１の車両番号１の移動局は、２００４年２月１５日は、実車率５９％であることを示している。なお、表１、表２に示す各項目は、これらに限定されるものではなく、ＡＶＭシステムの最適な管理形態に応じて適宜追加、修正されることは言うまでもない。
【００３５】
以上説明したように本発明のタクシー配車用ＡＶＭシステムでは、空車車両の位置管理は勿論のこと、無線配車に直接無関係な流し車両の実車の動態情報および全移動体の毎日の走行ルートの情報等を逐次記録している。従って、このデータを利用してタクシー車両の需要と配置に関し有効な配車が可能になる。以下、この管理データに基づいて本発明の一実施例を以下に説明する。表３は、例えば、表１および表２に基づいて待機場所への効率的な配車を行うための説明のためテーブルを示している。
【００３６】
【表３】
2005269142.tif 000005
表３は、例えば、タクシー車両の需要がピークになる場所と時間帯を示したもので、配車エリア、時間帯、待機場所の項目が設けられている。例えば、配車エリアＰ１は、時間帯１０：００〜１４：００の実車率が高く、従って、待機場所Ｐ１−１に空車のタクシー１０台を、また、Ｐ１−２に５台を待機させるように管理することを示している。この表３は、例えば、表２に示すような各移動局の１日の移動履歴と実車のデータから作成することが可能である。即ち、１日の内にエリアＰ１、Ｐ２、・・・Ｐ４を何台もの移動局５０４が通過するので、その移動局の動態情報が移動履歴として記憶部２０２に蓄積される。この何台もの移動局の動態情報を統計的に分析すれば、どの時間帯に、どのエリアの実車率が高いかを知ることが可能であり、これによって表３を作成する。基地局は、この表３に基づき空車の移動局に待機情報を送信する。例えば、図８は、表３に示す配車の状況を示すもので、基地局５０４の表示部１０２に表示された地図画面で、地図データベース１０１から読み出すことで表示される。
【００３７】
図８において、Ｐ１、Ｐ２、Ｐ３、Ｐ４は、地図を所定の範囲で区分されたエリアを示し、Ｐ１−１、Ｐ１−２、Ｐ２−１は、それぞれ待機場所を示している。Ｒは、道路を示している。基地局５０４は、移動局５０４の現在位置および空車の状況をポーリング信号で、１２．４秒（図３の場合）に１度の割合で把握しているので、この情報と表３の内容から、例えば、１０：００〜１４：００の間は、Ｐ１のエリアで、タクシーの需要が高く、従って、待機場所Ｐ１−１に１０台および待機場所Ｐ１−２に５台と言うように空車の移動局に配車の指示を行う。その結果、タクシーの効率的な稼動を行うことが可能となり、また、乗客にとっては、タクシーの待ち時間を短縮できると言う効果がある。
【００３８】
また、表４は、別の一実施例を説明するためのテーブルを示している。
【００３９】
【表４】
2005269142.tif 000006
表４は、乗務員にほぼ平等な配車を行うための方法を示すもので、乗務員番号、前日の実車率、配車順位の項目が設けられている。そして、例えば、乗務員番号に対して、表１に示す前日の実車率に基づいて次の日の配車順序が定められる。表４では、前日の実車率の低いものから順に配車の優先度１、２、３・・・を決定し、顧客から配車依頼があると、優先度の高い移動局から順に配車する場合を示している。例えば、表４では、前日の実車率が最も低い乗務員Ｘ（実車率３３％）を最優先に配車することを意味している。勿論、基地局５０４は、ポーリングにより空車情報を把握し、空車の移動局の内、優先度の高い移動局から順に配車することは、言うまでもない。
【００４０】
以上のように本発明では、表１および表２に示す全移動局の動態情報および移動履歴の情報をポーリング方式で収集し、表３で示すような待機場所への効率的な配車、あるいは表４で示すような乗務員への公平な配車が可能なタクシー配車用ＡＶＭシステムが実現できる。なお、ここで説明した実施例は、一例であって、これに限定されるものではなく、移動局の効率的な稼動、乗務員の労働条件の改善あるいはお客へのサービスの向上に役立つような配車管理を行うことができることは、上記で説明した実施例からも明かである。
【００４１】
以上、本発明について詳細に説明したが、本発明は、ここに記載されたＡＶＭシステムにおける配車方法の実施例に限定されるものではなく、上記以外の無線通信システムに広く適応することが出来ることは、言うまでも無い。
【図面の簡単な説明】
【００４２】
【図１】本発明の基地局の一実施例の概略構成を示すブロック図である。
【図２】本発明の基地局および移動局の一実施例の概略構成を示すブロック図である。
【図３】本発明の一実施例のポーリング方式のシーケンスを説明するための図である。
【図４】本発明の一実施例のポーリング信号およびポーリング応答信号を説明するための図である。
【図５】本発明に使用されるＡＶＭシステムの概略構成を示す図である。
【図６】従来のＡＶＭシステムのポーリング方式のシーケンスの一例を説明するための図である。
【図７】従来のポーリング信号およびポーリング応答信号の一例を説明するための図である。
【図８】本発明の一実施例の地図画面を示す図である。
【符号の説明】
【００４３】
１０１：地図データベース、１０２：表示部、１０３：操作部、２０１：中央処理装置、２０２、２１２：記憶部、２０３：ポーリング信号生成部、２０４：データ送信要求信号発生部、２０５、２０８：無線機、２０６、２０７：アンテナ、２０９：ポーリング信号受信部、２１０：データ送信要求受信部、２１１：スロット設定部、２１３：料金メータ、２１４：データ生成部、２１５：位置検出部、２１６：ＧＰＳアンテナ、２１７：操作表示部、４０１、４０４：信号種別領域、４０２：ポーリング車番指定領域、４０３：予備領域、４０５：動態情報領域、４０６：位置情報領域、５０１：基地局、５０２：管理センタ、５０３：伝送路、５０４：移動局、５０５：通信エリア、５０６：ＧＰＳ衛星、５０７：位置情報、ＰＯ１：ポーリング信号、ＳＲ：ポーリング応答信号。
【図１】
2005269142.tif 000007
【図２】
2005269142.tif 000008
【図３】
2005269142.tif 000009
【図４】
2005269142.tif 000010
【図５】
2005269142.tif 000011
【図６】
2005269142.tif 000012
【図７】
2005269142.tif 000013
【図８】
2005269142.tif 000014